(57)【要約】【課題】開閉店時刻をタイムリーに設定できる開閉店処理システムとＰＯＳシステムを提供することにある。【解決手段】時刻を計時する計時部２４と、オペレータ用ディスプレイと３３、少なくとも日別に開店閉店時刻をカレンダーテーブルに格納する日付格納ワーク２３ａと、開閉店時刻を設定するキーボード３２またはマウス３５と、前記開閉店時刻と前記計時部２４の計時時刻に基づき電源３０をオン・オフ制御するＣＰＵ２１とを備えたことを特徴とする開閉店処理システム。【選択図】      図２
2006227729.tif 000002
【特許請求の範囲】
【請求項１】
時刻を計時する時計部と、表示手段と、少なくとも日別に開閉店時刻を格納するカレンダーテーブルを有する記憶手段と、前記開閉店時刻を設定する設定手段と、前記開閉店時刻と前記計時部の計時時刻に基づき電源オン・オフ制御する制御部とを備えたことを特徴とする開閉店処理システム。
【請求項２】
請求項１に記載の開閉店処理システムにおいて、前記カレンダーテーブルに日別に開閉店時刻および店休日フラグを格納することを特徴とする開閉店処理システム。
【請求項３】
請求項１に記載の開閉店処理システムにおいて、前記カレンダーテーブルに開閉店パターンテーブルを備え、前記開閉店パターンテーブルには開閉店パターンＮｏ．と開閉店時刻が格納されるとともに、前記開閉店パターンＮｏ．を設定する設定手段を備えることを特徴とする開閉店処理システム。
【請求項４】
時刻を計時する時計部と、表示手段と、少なくとも曜日テーブルを有する記憶手段と、前記曜日テーブルから曜日毎に前記開閉店時刻を設定する設定手段と、前記曜日毎の前記開閉店時刻と前記計時部の計時時刻に基づき電源オン・オフ制御する制御部とを備えたことを特徴とする開閉店処理システム。
【請求項５】
ＰＯＳ端末とストアーコントローラとの間で各種情報を送受信可能なＰＯＳシステムにおいて、前記ストアーコントローラに請求項１〜４いずれか１つに記載の開閉店処理システムを備えたことを特徴とするＰＯＳシステム。
【発明の詳細な説明】
【技術分野】
【０００１】
本発明は、開閉店時刻等を設定できる開閉店処理システムおよびＰＯＳ（Point Of Sales：販売時点情報管理）システムに関するものである。
【背景技術】
【０００２】
従来の店舗に設けられた開閉店処理システムやＰＯＳシステムでは、システム管理テーブルに設定した１パターンのみの開閉店時刻により自動開閉店処理がそれぞれの時刻に実行されていた。
【０００３】
また、電子式金銭登録装置においては、オペレータ側表示装置と客側表示装置とが設けられている。これらの表示装置は店舗の開店時間帯において、顧客と取引を行う動作モードであるときには、オペレータ側表示装置と客側表示装置との表示をオンにする。一方、オペレータのみに対応する動作モードであるときには、客側表示装置の表示をオフにし、オペレータ側表示装置の表示をオンにする制御を行う。（例えば、特許文献１参照）。
【特許文献１】特開２００１−２８３３２８号公報
【発明の開示】
【発明が解決しようとする課題】
【０００４】
しかしながら、従来のシステムでは、週末などの平日よりも長い時間営業するような場合に、店舗の開店時刻を最も早い時間、そして閉店時刻をもっとも遅い時刻に設定しておく必要があった。そのため平日などは、必要のない時間まで電源が入っているため、電力を無駄に消費していた。
【０００５】
本発明の目的は、開閉店時刻をタイムリーに設定できる開閉店処理システムやＰＯＳシステムを提供することにある。
【課題を解決するための手段】
【０００６】
本発明の開閉店処理システムは、時刻を計時する計時部と、表示手段と、少なくとも日別に開閉店時刻をカレンダーテーブルに格納する記憶手段と、前記開閉店時刻を設定する設定手段と、前記開閉店時刻と前記計時部の計時時刻に基づき電源オン・オフ制御する制御部を備えたことを特徴とする。
【発明の効果】
【０００７】
本発明によれば、開閉店時刻を簡単に設定できるため店舗の運用に合わせたタイムリーな開閉店処理が可能になる。さらに電源投入時間も最短ですむため省エネの効果を有する。
【発明を実施するための最良の形態】
【０００８】
以下、本発明の一実施の形態について図面を参照して詳細に説明する。
【０００９】
なお、この実施の形態は、店舗内に構築されたＰＯＳシステムの開閉店処理システムに適用した場合について説明する。
【００１０】
図１は、本実施の形態に係るＰＯＳシステムで、このＰＯＳシステムは、店舗内に設置されたストアーコントローラ１１と複数台のＰＯＳ（Point Of Sales）端末１２とを通信回線１３の一例であるＬＡＮ（Local Area Network）によって接続されている。
【００１１】
図２は、開閉店処理システムであるストアーコントローラ１１の要部構成を示すブロック図である。このストアーコントローラ１１は、制御部本体を構成するＣＰＵ（Central Processing Unit）２１に、プログラム等を格納したＲＯＭ(Read Only Memory)２２、日別開閉店時刻管理データ構造、日別開閉店時刻パターン管理データ構造、曜日別開閉店時刻管理データ構造等の各種テーブルを格納する記憶手段である日付格納ワーク２３ａを有するとともに、各種データを記憶するＲＡＭ（Random Access Memory）２３、現在の時刻を刻む時計、ＲＯＭ２２に格納された制御プログラムがＣＰＵ２１のクロックを使って時を刻む時計、また、ＣＰＵ２１から独立した時を刻む時計モジュールである時計部２４、ＬＡＮコントローラ２５、キーボードコントローラ２６、表示コントローラ２７、プリンタコントローラ２８、マウスコントローラ２９、電源３０等がバス３１で接続されている。
【００１２】
そして、ＬＡＮコントローラ２５にＬＡＮ１３を接続し、キーボードコントローラ２６に、入力手段であるキーボード３２を接続し、表示コントローラ２７に、表示手段と設定手段を兼ねるオペレータ用のディスプレイ３３を接続し、プリンタコントローラ２８にプリンタ３４を接続し、マウスコントローラ２９に入力手段および設定手段であるマウス３５を接続している。
【００１３】
電源３０は、ストアーコントローラ１１の動作に必要な各種電源を供給するものである。
【００１４】
ＣＰＵ（制御部）２１は、日付格納ワーク２３ａに格納されている開閉店時刻と時計部２４との各々の現時刻とが一致すると電源３０をオン・オフし、ストアーコントローラ１１の電源３０のオン・オフを制御する。
【００１５】
なお、表示手段であるオペレータ用のディスプレイ３３は、図示しない、タッチパネルディスプレイとタッチパネルセンサとで構成され、指先等のタッチを検知することができる。ディスプレイ３３のキーを意味する絵文字（ボタン）を表示すれば、タッチパネルと組み合わせてキースイッチとすることが可能である。
【００１６】
（本実施の形態１）図３は、日別開閉店時刻管理データ構造の一例を示すカレンダーテーブル（スケジューラ）４１である。図３において、スケジューラであるカレンダーテーブル４１には、店舗コード４２、営業日４３、開店時刻４４、閉店時刻４５および店休日フラグ４６等のエリアを備えている。
【００１７】
図４は、日別開閉店時刻管理データをメンテナンスする画面の一例を示す。
【００１８】
図５は、本実施の形態１に係る日別開閉店時刻管理データ構造の場合に、カレンダーテーブル（スケジューラ）４１への開閉店時刻の登録処理のフローチャートを示す。図３および図４を参照しＣＰＵ２１の動作を説明する。
【００１９】
閉店処理中において、メンテナンスする画面の図示しない選択ボタンを指先等でタッチして、図４の日別開閉店時刻管理データをメンテナンスする画面の一例をオペレータ用ディスプレイ３３に表示させる。
【００２０】
ＣＰＵ２１は、ステップＳ１１としてオペレータ用ディスプレイ３３に配置された左上の月度のマークボタンＢ１を指先等でタッチするか、マウス３５等のポインティングデバイスでクリックし選択すると、図４に示すように、たとえば、２００４年０８月のカレンダー等が表示される。
【００２１】
店休日設定は、店休日をカレンダーから選択する。店休日ボタンＢ７タッチし、確定ボタンＢ４をタッチして店休日を設定する。
【００２２】
次に、当日の営業日４３は営業ボタンＢ６を指先でタッチし、カレンダーから日付をタッチし入力ボタンＢ２をタッチすると営業日４３が取得され、記憶手段である日付格納ワーク２３ａのカレンダーテーブル４１に格納される。
【００２３】
ステップＳ１２として日付格納ワーク２３ａに１日を加算させて記憶させる。
【００２４】
ステップＳ１３としてオペレータ用ディスプレイ３３の画面から日別開閉店時刻管理データの営業日を日付格納ワーク２３ａから日別開閉店時刻管理データを取得する。
【００２５】
ステップＳ１４として日別開閉店時刻管理データからが店休日か否かを調べる。店休日ならステップＳ１２に戻る。更に次の日のデータを取得し、営業日のデータを取得するまで繰り返す。店休日でなく、営業日ならばステップＳ１５として日付格納ワーク２３ａに取得した日別開閉店時刻管理データの開閉店時刻４４、４５を加えてカレンダーテーブル４１に登録し処理を終了する。
【００２６】
具体的には、図４に示すように、開閉店時刻４４，４５には既定値が表示されている。たとえば、閉店時刻「８：００」、閉店時刻「２２：００」（午後１０時）が設定されている。
【００２７】
次に、開閉店時刻４４，４５の設定値を変更するときは、まず、変更ボタンＢ３をタッチし、変更する開店時刻４４または閉店時刻４５に指先等でタッチするかマウス３５でクリックする。そして、入力ボタンＢ２を指先等でタッチする。次に、開店時刻４４をたとえば、入力手段のキーボード３２で時刻を入力し設定する。次に、閉店時刻４５も同様に設定し、設定値を確認し確定ボタンＢ４をタッチする。さらに、終了ボタンＢ５をタッチすると設定が完了する。
【００２８】
以上の構成にこれにより、営業日の当日の登録時刻になるまで開店処理は動作しないようになっている。また、営業当日の開店時刻になると電源がオンになる。また、閉店時刻になると電源がオフになり開店時刻になるまで動作しないようになる。
【００２９】
また、閉店処理の中で、ＡＰＳ（Ａｕｔｏ Pｏｗｅｒ Sｕｐｐｌｙ）に次回電源投入時間をセットし、自動電源切断をすることにより、当日になるまで電源が切れた状態になる。
【００３０】
本実施の形態１では、日別開閉店時刻管理データ構造を店舗ごと、未来の営業日、その営業日の開閉店時刻、その営業日が店休日なのか否かの情報を格納することにより、店舗単位、営業日単位の開閉店時刻、店休日情報を管理することが可能になる。
【００３１】
（本実施の形態２）図６は、日別開閉店時刻パターン管理データ構造の一例を示すカレンダーテーブル、開店パターンテーブルおよび閉店パターンテーブルである。図６において、カレンダーテーブル５１には、店舗コード５２、営業日５３、開店パターンＮｏ．５４、閉店パターンＮｏ．５５、店休日フラグ５６のエリアを備え、さらに、開店パターンテーブル５７には、パターンＮｏ．５４、開店時刻５９、さらに、閉店パターンテーブル６０には、パターンＮｏ．５５、閉店時刻６２等のエリアを備えている。
【００３２】
図７は、日別開閉店時刻パターン管理データをメンテナンスする画面の一例を示す。
【００３３】
図８は、本実施の形態２に係る日別開閉店時刻パターン管理データ構造の場合について登録処理のフローチャートを示す。図６および図７を参照してＣＰＵ２１の動作を説明する。
【００３４】
閉店処理中において、メンテナンスする画面の図示しない選択ボタンを指先等でタッチして図７の日別開閉店時刻パターン管理データ構造をメンテナンスする画面のオペレータ用ディスプレイ３３に表示させる。オペレータ用ディスプレイ３３の左上の月度にあるマークボタンＢ１を指先等でタッチすると、同図に示すように、たとえば、２００４年０８月のカレンダーが表示される。
【００３５】
なお、ステップＳ２１からステップＳ２４については、前記日別開閉店時刻管理データ構造と同様のステップなので説明を省略する。
【００３６】
ＣＰＵ２１は、ステップＳ２５として開店パターンＮｏ．５４と開店時刻５９を取得するために、図７に示す、メンテナンスする画面の右上の開店ボタンＢ１０を指先等でタッチする。パターンボタンＢ１２が「１〜３」とそれぞれに対応する時刻「８：００，９：００，７：００」が表示される。開店パターンＮｏ．５４を設定するために設定手段であるマウス３５でパターンＮｏ．「２」をクリックして取得する。
【００３７】
ステップＳ２６として開店パターンテーブル５７から取得した開店パターンＮｏ．「２」に該当する開店時刻「９：００」を取得する。
【００３８】
ステップＳ２７として表示された開店パターンＮｏ．「２」と開店時刻「９：００」の設定を確認し確定ボタンＢ４をタッチする。さらに、終了ボタンＢ５をタッチすると日付格納ワーク２３ａに取得した開店パターンテーブル５７にパターンＮｏ．「２」と開店時刻「９：００」を加えてカレンダーテーブル５１に登録される。
【００３９】
閉店時刻の設定についても閉店パターンテーブル６０を利用して同様に実施する。
【００４０】
なお、開閉店時刻パターンを設定は、既定値の開閉店時刻以外に設定したい日付をカレンダーより選択する。開店パターンを入力する。閉店パターンを入力する。確定ボタンＢ４をタッチすることで開閉店時刻パターンを設定することができる。
【００４１】
本実施の形態２によれば、パターンＮｏ．をセットするだけなので、日ごとに時刻をセットするという無駄な作業は必要なくなる。
【００４２】
（本実施の形態３）図９は、曜日別開閉店時刻パターン管理データ構造を示す曜日テーブルである。図９に示すように、曜日テーブル７１には、店舗コード７２、曜日コード７３（１：月曜日、２：火曜日、…７：日曜日）、開店時刻７４、閉店時刻７５等のエリアを備えている。
【００４３】
図１０は、曜日別開閉店時刻管理データをメンテナンスする画面の一例を示す。同図に示すように、開店時刻ボタンＢ８，閉店時刻ボタンＢ９を備え、日曜日から土曜日および祝祭日のそれぞれのボタンＢ２１〜Ｂ２８を備えている。曜日ごとに開閉店時刻を設定することができる。
【００４４】
図１１は、本実施の形態３に係る曜日別開閉店時刻管理データ構造の場合について、曜日テーブルへの曜日別、開閉店時刻の登録処理のＣＰＵ２１の動作を示すフローチャートである。
【００４５】
なお、ステップＳ３１からステップＳ３４までのステップは日別開閉店時刻管理データ構造と、日別開閉店時刻パターン管理データ構造と同様のステップなので説明をここでは省略する。
【００４６】
ステップＳ３５として日付格納ワーク２３ａの曜日を検索する。たとえば、月ボタンＢ２２をタッチして、月曜日の曜日コードを算出する。
【００４７】
ステップＳ３６として曜日テーブル７１から取得した曜日コード７３の月曜日に該当する開店時刻７４を取得する。具体的には、図１０に示すように、たとえば、月ボタンＢ２２をタッチする。設定されている時刻「１０：００」を取得することができる。また、時刻を変更するときにはキーボード３２のテンキー操作により入力することができる。
【００４８】
ステップＳ３７として日付格納ワーク２３ａに取得した曜日テーブル７１の開店時刻「１０：００」を加えて確定ボタンＢ４をタッチし、次に終了ボタンＢ５をタッチする。曜日テーブル７１に曜日ごとの時刻を登録することができる。
【００４９】
本実施の形態３では開閉店時刻を管理することにより、曜日によって開閉店時刻が異なる店舗では、７パターンの設定を行えば管理が可能である。
【００５０】
なお、ストアーコントローラに開閉店処理システムを採用したがこれに限定するものではなく、ＰＯＳ端末にストアーコントローラを内蔵したものにも適用することができる。
【００５１】
また、単に店舗内のＰＯＳ端末の開閉店処理システムに適用することができる。
【００５２】
以上説明したように、本発明は前記実施の形態に限定されるものではなく、実施の段階ではその趣旨を逸脱しない範囲で種々に変形することが可能であるのは勿論である。
【図面の簡単な説明】
【００５３】
【図１】本発明に係る一実施形態のＰＯＳシステムの概略図。
【図２】同実施形態のストアーコントローラの要部構成を示すブロック図。
【図３】実施形態１の日別開閉店時刻管理データベースのデータ構造を示す図。
【図４】実施形態１の日別開閉店時刻管理データをメンテナンスする画面の一例を示す図。
【図５】実施形態１の日別開閉店時刻管理データを使用した動作を示すフローチャート。
【図６】実施形態２の日別開閉店時刻パターン管理データ構造を示す図。
【図７】実施形態２の日別開閉店時刻パターン管理データをメンテナンスする画面の一例を示す図。
【図８】実施形態２の曜日別開閉店時刻パターン管理データを使用した動作を示すフローチャート。
【図９】実施形態３の曜日別開閉店時刻管理データのデータ構造を示す図。
【図１０】実施形態３の日別開閉店時刻管理データをメンテナンスする画面の一例を示す図。
【図１１】実施形態３の曜日別開閉店時刻管理データを使用した主要な動作を示すフローチャート。
【符号の説明】
【００５４】
１１…ストアーコントローラ、２１…ＣＰＵ（制御部）、２３ａ…日付格納ワーク（記憶手段）、２４…計時部、３１…キーボード（入力手段）、３３…オペレータ用ディスプレイ（設定手段）、３４…マウス（設定手段）、４１，５１…カレンダーテーブル、４４、５９、７４…開店時刻、４５、６２、７５…閉店時刻、５７…開店パターンテーブル、６０…閉店パターンテーブル、７１…曜日テーブル。
【図１】
2006227729.tif 000003
【図２】
2006227729.tif 000004
【図３】
2006227729.tif 000005
【図４】
2006227729.tif 000006
【図５】
2006227729.tif 000007
【図６】
2006227729.tif 000008
【図７】
2006227729.tif 000009
【図８】
2006227729.tif 000010
【図９】
2006227729.tif 000011
【図１０】
2006227729.tif 000012
【図１１】
2006227729.tif 000013